(57)【要約】      （修正有）【課題】塵埃除去機能と、シャッタ機能とを、省スペースかつ省部品点数で実現可能であり、特別な位置検出やメカロック機構を有することなくシャッタの初期位置出しが可能な撮像装置を提供する。【解決手段】撮像装置において、加振部材と、撮像素子３３の被写体側に配設され加振部材の振動を受ける光学部材と、加振部材の振動を受ける振動子と、加振部材の制御を行う制御部と、振動子と当接しており振動子の運動を受ける移動部材４４０とを備え、加振部材の一方の面は光学部材と貼着され、その対面は振動子と貼着され、加振部材と光学部材と振動子によって構成される振動部材において振動曲げの中立面は加振部材外に配置されており、制御部によって加振部材の振動モードを制御することで、移動部材４４０を移動させる第１のモードと、光学部材を振動させることで光学部材に付着した異物を除去する第２のモードとを切り替える。【選択図】図４
2016085245.tif 000002
【特許請求の範囲】
【請求項１】
加振部材（４３０）と、
撮像素子（３３）の被写体側に配設され前記加振部材（４３０）の振動を受けることで振動する光学部材（４１０）と、
前記加振部材（４３０）の振動を受けることで振動する振動子（４２０）と、
前記加振部材（４３０）の制御を行う制御部（１００）と、
前記振動子（４２０）と当接しており前記振動子（４２０）の運動を受けることで移動する移動部材（４４０）とを備え、
前記加振部材（４３０）の一方の面は前記光学部材（４１０）と貼着し、その対面は前記振動子（４２０）と貼着している前記加振部材（４３０）と前記光学部材（４１０）と前記振動子（４２０）によって構成される振動部材（４７０）を前記制御部（１００）によって、前記加振部材（４３０）の振動モードを制御することで、前記移動部材（４４０）を前記撮像素子（３３）を遮蔽する第１の位置に移動させる第１閉制御モードあるいは前記撮像素子（３３）を開放する第２の位置に移動させる第１開制御モードと、前記光学部材（４１０）を振動させることで、前記光学部材（４１０）に付着した異物を除去する第２制御モードと、を切り替えることが可能な撮像装置において、異物を除去する第２の制御モードを実施後には、前記移動部材（４４０）を第１の位置に移動させる第１閉制御モードを実施することを特徴とする撮像装置。
【請求項２】
加振部材（４３０）と、
撮像素子（３３）の被写体側に配設され前記加振部材（４３０）の振動を受けることで振動する光学部材（４１０）と、
前記加振部材（４３０）の振動を受けることで振動する振動子（４２０）と、
前記加振部材（４３０）の制御を行う制御部（１００）と、
前記振動子（４２０）と当接しており前記振動子（４２０）の運動を受けることで移動する移動部材（４４０）とを備え、
前記加振部材（４３０）の一方の面は前記光学部材（４１０）と貼着し、その対面は前記振動子（４２０）と貼着している前記加振部材（４３０）と前記光学部材（４１０）と前記振動子（４２０）によって構成される振動部材（４７０）を前記制御部（１００）によって、前記加振部材（４３０）の振動モードを制御することで、前記移動部材（４４０）を前記撮像素子（３３）を遮蔽する第１の位置に移動させる第１閉制御モードあるいは前記撮像素子（３３）を開放する第２の位置に移動させる第１開制御モードと、前記光学部材（４１０）を振動させることで、前記光学部材（４１０）に付着した異物を除去する第２制御モードと、を切り替えることが可能な撮像装置において、異物を除去する第２制御モードを実施後には、前記第２制御モードを実施する前に移動部材が位置した第１の位置あるいは第２の位置の方向への第１制御モードを実施することを特徴とする撮像装置。
【請求項３】
撮像の度に、クイックリターンミラー（６）を撮影光路内に位置する状態と撮影光路内から退避した状態とに回動駆動すると共に移動部材（４４０）を開閉駆動させて撮像する通常撮影モード設定時に、第２制御モードを実施後には、振動部材（４７０）によって移動部材（４４０）を第１閉制御モードで駆動することを特徴とする請求項２に記載の撮像装置。
【請求項４】
移動部材（４４０）を予め開いた状態にさせるとともに前記クイックリターンミラー（６）を撮影光路内から退避させることにより前記撮像素子（３３）から得られる被写体像を表示手段（９）に逐次表示するライブビュー撮影モード設定時に、第２制御モードを実施後には、振動部材（４７０）によって移動部材（４４０）を第１開制御モードで駆動することを特徴とする請求項２に記載の撮像装置。
【発明の詳細な説明】
【技術分野】
【０００１】
本発明は、撮像素子の被写体側に配設された光学部材に付着する塵埃等の異物を除去する塵埃除去機能と、シャッタ機能とを備えた撮像装置に関する。
【背景技術】
【０００２】
従来、カメラにおいて機械的シャッタは先幕と後幕を高速かつ高精度で駆動させることで、露光調節を行っていた。また、撮影した画像データの電荷転送時に、電荷転送経路を遮光することで、画像データにノイズが発生することを防ぐといった役割も果たしていた。
【０００３】
しかし、電子シャッタを備えたカメラにおいて、機械的シャッタは露光調節を行う必要がない。したがって、この機械的シャッタは、高速かつ高精度で駆動する必要がなく、簡易（省スペース・省部品点数）な構成にすることが可能である。
【０００４】
そこで、機械的シャッタの駆動源として、特許文献１で開示されているような、圧電素子を利用した超音波モータを用いることで、機械的シャッタを簡易な構成にすることが可能である。
【０００５】
一方、従来のデジタルカメラにおいて、レンズ交換時等に塵埃がカメラ本体内に侵入して、カメラ本体内の撮影素子に付着することにより、取得される撮影画像が劣化することがある。このような現象を回避するために、撮像素子の被写体側に撮影光束を透過させる防塵フィルタを設け、これを圧電素子で振動させることにより、防塵フィルタの表面に付着した塵埃等の異物を除去する技術が提案されている。
【０００６】
また、カメラの省スペース化、省部品点数化を目指し、先述した塵埃除去機能を備えた塵埃除去装置と機械的シャッタとを、一体の装置としたものが特許文献２によって開示されている。
【０００７】
さらには、シャッタの開放状態にする第１の位置や遮蔽状態にする第２の位置を検出するために、フォトリフレクターを設けているものも特許文献３によって開示されている。
【先行技術文献】
【特許文献】
【０００８】
【特許文献１】特許０４２６１９６４号公報
【特許文献２】特開２００５−３３１８２９号公報
【特許文献３】特開２００５−３３８６４１号公報
【発明の概要】
【発明が解決しようとする課題】
【０００９】
しかしながら、上記の特許文献２に開示された従来技術では、機械的シャッタはシャッタ駆動専用に駆動源を備え、塵埃除去装置は塵埃除去駆動専用に駆動源を備えている。つまり、装置としては一体構成ではあるが、駆動源は別個のものを備えており、各駆動源を保持するスペースが必要となるため、装置は大型な構成になってしまっている。
【００１０】
そこで、同一駆動源で駆動することが考えられるけれども、塵埃除去駆動を行った際にその振動でシャッタが動いてしまう恐れがある。これを防止するために、上記の特許文献３で開示されているようなフォトリフレクターなどの検出装置や、ましてはメカロック機構を搭載しては、せっかく同一の圧電素子とした事で、省スペースかつ少部品点数でシャッタ機能を有する塵埃除去装置を搭載するにも係らず大型化してしまう。
【００１１】
本発明は、上記の事情を鑑みてなされたものであって、塵埃除去機能と、シャッタ機能とを、省スペースかつ省部品点数で実現可能であり、特別な位置検出やメカロック機構を有することなくシャッタの初期位置出しが可能な撮像装置を提供することを目的とする。
【課題を解決するための手段】
【００１２】
上記の目的を達成するために、本発明の撮像装置は、加振部材と、撮像素子の被写体側に配設され前記加振部材の振動を受けることで振動する光学部材と、前記加振部材の振動を受けることで振動する振動子と、前記加振部材の制御を行う制御部と、前記振動子と当接しており前記振動子の運動を受けることで移動する移動部材とを備え、前記加振部材の一方の面は前記光学部材と貼着し、その対面は前記振動子と貼着している前記加振部材と前記光学部材と前記振動子によって構成される振動部材を前記制御部によって、前記加振部材の振動モードを制御することで、前記移動部材を第１の位置あるいは第２の位置に移動させる第１の制御モードと、前記光学部材を振動させることで、前記光学部材に付着した異物を除去する第２の制御モードとを切り替えることが可能な撮像装置において、異物を除去する第２の制御モードを実施後には、前記第１の制御モードを実施することを特徴とする。
【発明の効果】
【００１３】
本発明によれば、塵埃除去機能と、シャッタ機能とを、省スペースかつ省部品点数で実現可能であり、特別な位置検出やメカロック機構を有することなくシャッタの初期位置出しが可能な撮像装置を提供することができる。
【図面の簡単な説明】
【００１４】
【図１】第１の実施形態に係るデジタル一眼レフカメラの正面側斜視図である。
【図２】第１の実施形態に係るデジタル一眼レフカメラの背面側斜視図である。
【図３】第１の実施形態に係るデジタル一眼レフカメラの電気的構成を示すブロック図である。
【図４】第１の実施形態に係る撮像ユニットの構成を示す分解斜視図である。
【図５】第１の実施形態に係る振動ユニットの構成を示す分解斜視図である。
【図６】振動の中立面と各部材の厚みとの関係を示した図である。
【図７】第１の実施形態に係る圧電素子の電極配置を示した図である。
【図８】第１の実施形態に係るシャッタ幕ユニットの構成を示す分解斜視図である。
【図９】第１の実施形態に係る振動ユニットの振動形状を示す側面図である。
【図１０】第１の実施形態に係るシャッタ動作を示した図である。
【図１１】第１の実施形態に係るシャッタ動作時の振動ユニットに、励起させる振動形状を示した図である。
【図１２】第１の実施形態に係るカメラ操作において、塵埃除去動作、シャッタ動作のフローチャートである。
【図１３】第２の実施形態に係るカメラ操作において、塵埃除去動作、シャッタ動作のフローチャートである。
【発明を実施するための形態】
【００１５】
以下、本発明の好適な実施形態について添付図面を参照して詳細に説明する。なお、以下の実施形態は特許請求の範囲に係る本発明を限定するものでなく、また本実施形態で説明されている特徴の組み合わせの全てが本発明の課題の解決に必須のものとは限らない。
【００１６】
［第１の実施形態］
《カメラの構成》
図１および図２は本発明に係るデジタル一眼レフカメラの外観を示す図である。具体的には、図１はカメラ本体１を前面側より見た斜視図であって、不図示の撮影レンズユニットを外した状態を示し、図２はカメラ本体１を背面側より見た斜視図である。
【００１７】
４は撮影レンズユニットを取り外す際に押し込むレンズロック解除釦である。５はカメラ筐体内に配置されたミラーボックスで、撮影レンズを通過した撮影光束はここへ導かれる。ミラーボックス５の内部には、クイックリターンミラー６が配設されている。クイックリターンミラー６は、撮影光束をペンタプリズム２２（図３を参照）の方向へ導くために撮影光軸に対して４５°の角度に保持される状態と、撮像素子３３（図３を参照）の方向へ導くために撮影光束から退避した位置に保持される状態とを取り得る。
【００１８】
カメラ上部のグリップ側には、撮影開始の起動スイッチとしてのシャッタボタン７と、撮影時の動作モードに応じてシャッタスピードやレンズ絞り値を設定するためのメイン操作ダイヤル８と、撮影系の動作モード設定ボタン１０が配置されている。これら操作部材の操作結果の一部は、ＬＣＤ表示パネル９に表示される。
【００１９】
また、動作モード設定ボタン１０は、シャッタボタン７の１回の押込みで連写になるか１コマのみの撮影となるかの設定や、セルフ撮影モードの設定などを行うものであり、ＬＣＤ表示パネル９にその設定状況が表示されるようになっている。
【００２０】
カメラ上部中央には、カメラ本体に対してポップアップするストロボユニット１１とフラッシュ取付け用のシュー溝１２とフラッシュ接点１３が配置されており、カメラ上部右寄りには撮影モード設定ダイヤル１４が配置されている。
【００２１】
グリップ側とは反対側の側面には、開閉可能な外部端子蓋１５が設けられており、この外部端子蓋１５を開けた内部には、外部インタフェースとしてビデオ信号出力用ジャック１６とＵＳＢ出力用コネクタ１７が納められている。
【００２２】
図２において、カメラ背面側には上方にファインダ接眼窓１８が設けられ、更に背面中央付近には画像表示可能なカラー液晶モニタ１９が設けられている。カラー液晶モニタ１９の横に配置されたサブ操作ダイヤル２０は、メイン操作ダイヤル８の機能の補助的役割を担い、例えばカメラのＡＥモードでは自動露出装置により算出された適正露出値に対する露出補正量を設定するために使用される。あるいは、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定するように使用される。また、このサブ操作ダイヤル２０は、カラー液晶モニタ１９に表示される撮影済み画像の表示選択にも用いられる。
【００２３】
４３はカメラの動作を起動もしくは停止するためのメインスイッチである。４４は塵埃除去動作を実行させるための塵埃除去指示操作部材であり、光学フィルタ上に付着した、塵埃などの異物をふるい落とす動作を指示するためのものである。なお、この塵埃除去動作については、後に詳細に説明する。４５は、ミラーアップ動作とシャッタ開駆動を行い、撮像素子のスルー画をカラー液晶モニタ１９に表示するライブビュー（以降ＬＶと略す）モードとするためのＬＶモード釦である。
【００２４】
図３は本発明に係るデジタル一眼レフカメラの主要な電気的構成を示すブロック図である。なお、前述の図面と共通する部分は同じ記号で示している。１００はカメラ本体に内蔵されたマイクロコンピュータからなる中央処理装置（以下、ＭＰＵという）である。ＭＰＵ１００は、カメラの動作制御を司るものであり、各要素に対して様々な処理や指示を実行する。１００ａはＭＰＵ１００に内蔵されたＥＥＰＲＯＭであり、時刻計測回路１０９の計時情報やその他の情報を記憶可能である。
【００２５】
ＭＰＵ１００には、ミラー駆動回路１０１、焦点検出回路１０２、圧電素子駆動回路１０３、映像信号処理回路１０４、スイッチセンス回路１０５、測光回路１０６が接続されている。また、液晶駆動回路１０７、バッテリチェック回路１０８、時刻計測回路１０９、電源供給回路１１０、も接続されている。これらの回路はＭＰＵ１００の制御により動作するものである。
【００２６】
また、ＭＰＵ１００は、撮影レンズユニット内に配置されたレンズ制御回路２０１と、マウント接点２１を介して通信を行う。マウント接点２１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００および絞り２０４の駆動を、ＡＦ駆動回路２０２および絞り駆動回路２０３を介して行うことが可能となる。
【００２７】
なお、本実施形態では撮影レンズ２００は便宜上１枚のレンズで示しているが、実際は多数のレンズ群により構成されている。
【００２８】
ＡＦ駆動回路２０２は、たとえばステッピングモータによって構成され、レンズ制御回路２０１の制御によって撮影レンズ２００内のフォーカスレンズ位置を変化させることにより、撮像素子３３に撮影光束の焦点を合わせるように調整する。２０３は絞り駆動回路であり、たとえばオートアイリスなどによって構成され、レンズ制御回路２０１によって絞り２０４を変化させ、光学的な絞り値を得るように構成されている。
【００２９】
クイックリターンミラー６は、撮影レンズ２００を通過する撮影光束をペンタプリズム２２へ導くとともに、その一部を透過させてサブミラー３０に導く。サブミラー３０は、透過した撮影光束を焦点検出用センサユニット３１へ導く。
【００３０】
ミラー駆動回路１０１は、クイックリターンミラー６を、ファインダにより被写体像を観察可能とする位置と、撮影光束から待避する位置とへ駆動するためのものである。同時に、サブミラー３０を、焦点検出用センサユニット３１へ撮影光束を導く位置と、撮影光束から待避する位置とへ駆動する。具体的には、たとえばＤＣモータとギヤトレインなどから構成される。
【００３１】
３１は周知の位相差方式の焦点検出センサユニットである。焦点検出センサユニット３１から出力された信号は、焦点検出回路１０２へ供給され、被写体像信号に換算された後、ＭＰＵ１００へ送信される。ＭＰＵ１００は被写体像信号に基づいて、位相差検出法による焦点検出演算を行う。そして、デフォーカス量およびデフォーカス方向を求め、これに基づき、レンズ制御回路２０１およびＡＦ駆動回路２０２を介して、撮影レンズ２００内のフォーカスレンズを合焦位置まで駆動する。
【００３２】
２２はペンタプリズムであり、クイックリターンミラー６によって反射された撮影光束を正立正像に変換反射する光学部材である。使用者は、ファインダ光学系を介して、ファインダ接眼窓１８から被写体像を観察することができる。
【００３３】
ペンタプリズム２２は、撮影光束の一部を測光センサ３７にも導く。測光回路１０６は、測光センサ３７の出力を得て、観察面上の各エリアの輝度信号に変換し、ＭＰＵ１００に出力する。ＭＰＵ１００は、得られる輝度信号から露出値を算出する。
【００３４】
３２はシャッタ幕であり、ユーザーがファインダにより被写体像を観察している時には撮影光束を遮る。また撮像時にはレリーズ信号に応じて、撮像素子前面より、待避を行う。ＬＶモード時には、シャッタ幕３２は、開駆動を行い、撮像素子のスルー画像をＬＣＤ表示パネル９に表示させてユーザーがその画像を観察しながら撮影を行える。シャッタ幕３２は、ＭＰＵ１００の指令を受けた圧電素子駆動回路１０３によって制御される。
【００３５】
３３は撮像素子であり、例えば撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。また、ＭＰＵ１００によって、電荷蓄積時間を制御される。
【００３６】
３４はクランプ／ＣＤＳ（相関二重サンプリング）回路であり、Ａ／Ｄ変換する前の基本的なアナログ処理を行うとともに、クランプレベルの変更も可能である。３５はＡＧＣ（自動利得調整回路）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。
【００３７】
４１０は光学フィルタで、水晶等からなる複屈折板および位相板を複数枚貼り合わせて積層し、更に赤外カットフィルタを貼り合わせて構成されている。なお、本実施形態では、光学フィルタ４１０は赤外カットフィルタや、水晶等を用いた光学ローパスフィルタを一体構成として説明しているが、本発明はこれに限定されるものではなく、複数の光学素子部材に分割する構成であっても良い。またその場合は撮像素子を含んだ密閉構造を構成する最外面に配置した光学素子を後述する圧電素子にて加振するものである。
【００３８】
４３０は圧電素子であり、ＭＰＵ１００から指令を受けた圧電素子駆動回路１０３により加振され、光学フィルタ４１０と後述する振動体４２０とを一体的に振動するように構成されている。
【００３９】
４００は、光学フィルタ４１０、圧電素子４３０、シャッタ幕３２、撮像素子３３と後述する他の部品と共にユニット化された撮像ユニットであり、ＭＰＵ１００と圧電素子駆動回路１０３による制御によって、シャッタ動作と塵埃除去動作を行う。詳細な構成については後述する。
【００４０】
１０４は映像信号処理回路であり、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１２を介してカラー液晶モニタ１９に表示される。
【００４１】
また、映像信号処理回路１０４は、ＭＰＵ１００の指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。
【００４２】
メモリコントローラ３８は、外部インタフェース４０（図１におけるビデオ信号出力用ジャック１６およびＵＳＢ出力用コネクタ１７に対応する）から入力される画像データをメモリ３９に記憶する機能を有する。また、メモリ３９に記憶されている画像データを外部インタフェース４０から出力する機能も有する。なお、メモリ３９は、カメラ本体に対して着脱可能なフラッシュメモリなどである。
【００４３】
１０５はスイッチセンス回路であり、各スイッチの操作状態に応じて入力信号をＭＰＵ１００に送信する。７ａは、シャッタボタン７の第１ストローク（半押し）によりオンするスイッチＳＷ１である。７ｂは、シャッタボタン７の第２ストローク（全押し）によりオンするスイッチＳＷ２である。スイッチＳＷ２がオンされると、撮影開始の指示がＭＰＵ１００に送信される。また、メイン操作ダイヤル８、サブ操作ダイヤル２０、撮影モード設定ダイヤル１４、メインスイッチ４３、塵埃除去動作指示操作部材４４が接続されている。
【００４４】
１０７は液晶表示駆動回路であり、ＭＰＵ１００の指示に従って、ＬＣＤ表示パネル９やファインダ内液晶表示器４１を駆動する。
【００４５】
１０８はバッテリチェック回路であり、ＭＰＵ１００からの信号に従って、所定時間バッテリチェックを行い、その検出出力をＭＰＵ１００へ送る。４２は電源部であり、カメラの各要素に対して、必要な電源を供給する。
【００４６】
１０９は時刻計測回路でメインスイッチ４３がＯＦＦされて次にＯＮされるまでの時間や日付を計測し、ＭＰＵ１００からの指令により、計測結果をＭＰＵ１００へ送信することができる。
【００４７】
《撮像ユニットの構成》
撮像ユニット４００の詳細な構成について説明する。図４は本実施形態に係る撮像ユニット４００の構成を示す分解斜視図である。撮像ユニット４００は、撮像素子ユニット５００と、密閉部材４５０と、振動ユニット４７０と、第１付勢部材４９０と、シャッタ幕ユニット４４０と、第２付勢部材５２０と、シャッタ幕ユニット４４０に直線駆動を規制する不図示のガイド手段とを備え構成される。
【００４８】
撮像素子ユニット５００は撮像素子３３と撮像素子保持部材５１０により構成されている。撮像素子保持部材５１０には、ビス穴５１０ａ、５１０ｂ、５１０ｃ、５１０ｄ、５１０ｅが設けられている。密閉部材４５０は、ゴムやウレタンフォーム等の弾性体によって形成される。第１付勢部材４９０は金属などのバネ性を有した材料によって形成され、ビス穴４９０ａ、４９０ｂ、４９０ｃ、４９０ｄが設けられている。第２付勢部材５２０は、金属などのバネ性を有した材料によって形成され、ビス穴５２０ａが設けられている。
【００４９】
第１付勢部材４９０のビス穴４９０ａと撮像素子保持部材５１０のビス穴５１０ａ、ビス穴４９０ｂとビス穴５１０ｂ、ビス穴４９０ｃとビス穴５１０ｃ、ビス穴４９０ｄとビス穴５１０ｄはビスで固定される。その結果、振動ユニット４７０と密閉部材４５０は、撮像素子ユニット５００と第１付勢部材４９０に挟まれ、撮像素子ユニット５００の被写体側に保持される。密閉部材４５０の被写体側の面は振動ユニット４７０と当接し、撮影者側の面は撮像素子３３と当接する。
【００５０】
振動ユニット４７０は、第１付勢部材４９０のバネ性によって撮像ユニット５００側へと付勢されているので、密閉部材４５０と振動ユニット４７０は隙間無く密着し、また、密閉部材４５０と撮像素子３３も同様に隙間無く密着している。これにより、振動ユニット４７０と撮像素子３３との間は密閉部材４５０によって封止され、塵埃等の異物の侵入を防ぐ密閉空間が形成されている。
【００５１】
第２付勢部材５２０のビス穴５２０ａと撮像素子保持部材５１０のビス穴５１０ｅはビスで固定される。その結果、シャッタ幕ユニット４４０は第２付勢部材５２０と振動ユニット４７０に挟まれ、振動ユニット４７０の被写体側に保持される。シャッタ幕ユニット４４０は、第２付勢部材５２０のバネ性によって撮像ユニット５００側へと付勢されているので、シャッタ幕ユニット４４０の撮像者側の面と、振動ユニット４７０の被写体側の面は圧力の生じた状態で当接される。振動ユニット４７０とシャッタ幕ユニット４４０の詳細な構成については後述する。
【００５２】
《振動ユニットの構成》
振動ユニット４７０の詳細な構成について説明する。図５は本実施形態に係る振動ユニット４７０の構成を示す分解斜視図である。振動ユニット４７０は光学フィルタ４１０と、圧電素子４３０と、振動体４２０とを備え構成される。振動体４２０は、振動を伝達しやすい金属等の材料で形成され、被写体側に突起部４２０ａが設けられている。この突起部４２０ａと振動体４２０は一体である。
【００５３】
圧電素子４３０と振動体４２０は、光学フィルタ４１０の撮影有効領域４１０ａ外の片側に配置されている。圧電素子４３０の一方の面は、光学フィルタ４１０と接着（貼着）され、その対面は振動体４２０と接着（貼着）されており、振動源である圧電素子４３０の振動を受け、光学フィルタ４１０と、振動体４２０は共に振動する。
【００５４】
この振動ユニット４７０において、振動の中立面について考慮する必要がある。振動の中立面とは、振動曲げの伸びる領域と縮む領域の境界面のことである。図６は、振動の中立面を示す振動ユニット４７０の側面図である。図６（ａ）は中立面が圧電素子４３０に存在していることを示す図であり、その時の光学フィルタ４１０と、圧電素子４３０と、振動体４２０の厚みの関係も示している。振動ユニット４７０の振動の中立面が、振動源である圧電素子４３０内部に存在すると、伸びる力と、縮む力が相殺するため、振動は微弱なものとなる。
【００５５】
図６（ｂ）は中立面が光学フィルタ４１０と圧電素子４３０との間に存在していることを示す図であり、その時の光学フィルタ４１０と、圧電素子４３０と、振動体４２０の厚みの関係も示している。振動ユニット４７０を構成している各部材の厚みを変更することで、振動の中立面の位置を調節することが可能である。したがって、本実施例では振動の中立面を振動源である圧電素子４３０の外に配置するため、各部材の厚みの関係を、以下のようにしている。
【００５６】
振動体４２０の厚み＋圧電素子４３０の厚み≦光学フィルタ４１０の厚み
振動ユニット４７０を構成している各部材の厚みを、上記のようにすることで、駆動源である圧電素子４３０の振動を相殺させることなく励起することができる。さらに理想を述べると、振動ユニット４７０の構成において大部分を占めている光学フィルタ４１０の厚みの中心に、中立面をなるべく近づけて配置することが望ましい。そうすることで、光学フィルタ４１０の振動において、縮む領域の変位量と伸びる領域の変位量が等しくなり、安定した振動を得ることが可能となる。
【００５７】
本実施例では、振動の中立面を光学フィルタ４１０側に配置するため、各部材の厚みの関係を先述したようにしているが、振動の中立面を圧電素子４３０の外に配置することが可能であれば、振動体４２０側に配置してもよい。その場合、各部材の厚みの関係は先述したものでなくても良い。
【００５８】
《圧電素子の電極配置》
図７は本発明に係る圧電素子４３０の詳細図であり、図７（ｂ）は圧電素子４３０の側面図、図７（ａ）は図７（ｂ）を左方から見た平面図であり、図７（ｃ）は図７（ｂ）を右方から見た平面図である。図７（ｃ）と図７（ａ）に示すように、圧電素子４３０はＡ相、Ｂ相、Ｃ相の三つに電極が配置されている。圧電素子４３０のＡ面は光学フィルタ４１０と接着（貼着）され、Ｂ面は振動体４２０と接着（貼着）される。
【００５９】
《シャッタ幕ユニットの構成》
シャッタ幕ユニット４４０の詳細な構成について説明する。図８は、本実施形態に係るシャッタ幕ユニット４４０の構成を示す分解斜視図である。シャッタ幕ユニット４４０は、シャッタ幕３２と、弾性部材４６０と、移動体４８０とを備え構成される。移動体４８０は、金属等で形成される。弾性部材４６０は、ゴム等の弾性部材で形成される。この弾性部材４６０によって、移動体４８０と振動体４２０の突起部４２０ａとの当接部に弾性特性と制振機能を付与することができる。その結果、過渡的な振動や可聴音がシャッタ幕ユニット４４０に発生することを防止でき、良好な駆動状態を得ることが出来る。シャッタ幕３２と、弾性部材４６０と、移動体４８０は接着（貼着）される。
【００６０】
《塵埃除去動作の仕組み》
塵埃除去動作の仕組みについて説明する。圧電素子４３０に振動を励起し、光学フィルタ４１０を振動させることで、光学フィルタ４１０の被写体側に付着した塵埃や異物を除去する。図９は、光学フィルタ４１０と、圧電素子４３０と、振動体４２０の側面図であり、圧電素子４３０に電圧を印加した際の、光学フィルタ４１０と圧電素子４３０と振動体４２０の状態変化（振動形状）を表わしている。
【００６１】
圧電素子用フレキシブルプリント基板等を通じて、圧電素子４３０のＡ相とＢ相に同時間位相で等しい電圧を印加し、Ｃ相をグランド（０［Ｖ］）とする。圧電素子４３０のＡ相とＢ相に、同時間位相で電圧を印加しているため、印加された電圧の正負は、同じ周期で切り替わる。
【００６２】
Ａ相とＢ相に印加された電圧が正の値の時、圧電素子４３０のＡ相とＢ相は面直方向に縮み、面内方向に伸びる。したがって、圧電素子４３０と接合された光学フィルタ４１０は、接合面を面方向に拡大する力を圧電素子４３０から受け、圧電素子４３０との接合面側が凸になるような変形をする。すなわち、Ａ相とＢ相に正の電圧が印加されると、光学フィルタ４１０には図９の実線で示すような屈曲変形が生じる。同様にＡ相とＢ相に印加する電圧を負とすれば、圧電素子４３０は先述したものと伸縮逆向きの変形を生じ、光学フィルタ４１０には図９の２点鎖線に示すような屈曲変形が生じる。
【００６３】
したがって、Ｃ相をグランドに保ったまま、Ａ相とＢ相に同時間位相で等しい電圧を印加することにより、同じ周期で印加される電圧の正負が切り替わり、光学フィルタ４１０の凸凹が周期的に切り替わるような定在波振動が生じる。この周期的な電圧の周波数は、振動ユニット４７０の固有モードの共振周波数近傍とすることで、小さな印加電圧でも大きな振幅を得ることができ、効率がよい。また、振動ユニット４１０の共振周波数は複数存在し、各々の共振周波数で電圧を印加すると各々異なる次数の振動モードで振動させることができる。
【００６４】
ここで、図９に示すように、定在波振動では振動の節部（ｄ１、ｄ２、・・・、Ｄ１、Ｄ２、・・・）と腹部とが交互に生じる。振動の節部とは振幅がほぼ零となる位置であり、振動の腹部とは隣り合う節部間において振幅が最大となる位置である。光学フィルタ４１０の表面に付着した塵埃等をふるい落とすには、付着力以上の力、つまり加速度を塵埃等に加えなければならない。
【００６５】
ところが、振動の節部では振幅がほぼ零であることから加速度もほぼ零であり、付着力に抗して塵埃等をふるい落とすことができない。そのため、１つの振動モードだけで光学フィルタ４１０を振動させると、振動の節部上に塵埃等が残ってしまう。
【００６６】
それを改善するため、ある振動モードで光学フィルタ４１０を振動させた後、もう１つ別の振動モードで光学フィルタ４１０を振動させる。これにより、最初の振動モードで残った塵埃等を、その後の別の振動モードで除去することができる。この場合に、ある振動モードでの節部ともう１つ別の振動モードでの節部とが重なってしまうと、その重なった節部の塵埃等が除去できないため、節部は重ならないようにしなければならない。したがって、使用する振動モードの組合せは偶数節（奇数次）及び奇数節（偶数次）であることが望ましい。本実施形態では、１１次振動モード（１２節）及び１２次振動モード（１３節）を組み合わせて使用している。
【００６７】
なお、光学フィルタ４１０の共振周波数は、光学フィルタ４１０の形状、板厚、材質等により異なるが、不快な音の発生を抑えるべく、可聴域外となるような共振周波数を選ぶことが好ましい。
【００６８】
本実施形態では、１１次の振動モード及び１２次の振動モードで振動を励起させる例を説明したが、これに限らず、他の次数の振動モードで振動を励起させるようにしても良い。また、３種類以上の振動モードを用いても良い。
【００６９】
《シャッタ動作の仕組み》
シャッタ動作について説明する。圧電素子４３０に振動を励起することで、突起部４２０ａの先端に楕円運動（円運動）を発生させる。この楕円運動（円運動）の詳細については特許０４２６１９６４号公報に記載されているため、ここでは省略する。この振動体４２０の突起部４２０ａ２点と、移動体４８０は、第２付勢部材５２０によって、圧力の生じた状態で当接している。突起部４２０ａの先端に発生する楕円運動（円運動）によって、移動体４８０と突起部４２０ａの当接面に摩擦駆動力が発生し移動体４８０は移動する。
【００７０】
なお、移動体４８０は弾性部材４６０とシャッタ幕３２と接着（貼着）されているため、シャッタ幕ユニット４４０全体として移動する。図１０は本実施形態に係るシャッタ動作の様子を示すものであり、図１０（ａ）はシャッタ幕開き時の様子を示しており、図１０（ｂ）はシャッタ幕閉じ時の様子を示したものである。
【００７１】
次に、突起部４２０ａの先端に楕円運動（円運動）を発生させる方法について説明する。具体的に言うと、振動体４２０に１つの周波数で、２つの異なる振動モードを、時間位相をずらして励起させることで、突起部４２０ａの先端に楕円運動（円運動）を発生させる。
【００７２】
図１１は本実施形態に係る振動体４２０に励起させる２つの振動モードを示す図であり、図中の点線は振動の節を示している。図中に示すように、光学フィルタ４１０の長辺方向をＸ、短辺方向をＹ、面の法線方向をＺとする。図１１（ａ）に示す振動モードは、振動体４２０のＸ、Ｚ軸平面に１次の波形が発生する１次の振動モードであり、圧電素子４３０のＡ相とＢ相に同時間位相で等しい電圧を印加し、Ｃ相をグランド（０［Ｖ］）とすることで、励起させている。
【００７３】
図１１（ｂ）に示す振動モードは、振動体４２０のＹ、Ｚ平面に２次の波形が発生する２次の振動モードであり、圧電素子４３０のＡ相とＢ相に印加する電圧の時間位相を１８０°ずらし、Ｃ相をグランド（０［Ｖ］）とすることで、励起させている。印加する電圧の周波数は、振動ユニット４７０の固有モードの共振周波数近傍とすることで、小さな印加電圧でも大きな振幅を得ることができ、効率がよい。
【００７４】
これら２つの振動モードを１つの周波数で励起させるため、共振周波数が略一致するように圧電素子４３０と、振動体４２０と、光学フィルタ４１０の形状が設計されている。また、突起部４２０ａは、図１１（ｂ）で示すように、２次の振動モードの節近傍に配置されており、この振動により突起部４２０ａの先端はＹ方向に変位する。それと同時に、突起部４２０ａは図１１（ａ）で示すように、１次の振動モードの腹近傍に配置されており、この振動により突起部４２０ａの先端はＺ方向に変位する。これら異なる２つの振動モードを時間位相差９０°で合成することで、突起部４２０ａの先端２点に、同様な楕円運動（円運動）を発生させることができる。
【００７５】
また、これら異なる２つの振動モードを時間位相差−９０°で合成することで、突起部４２０ａの先端に発生する楕円運動（円運動）の回転方向を逆転させることが出来る。それによって、シャッタ幕ユニット４４０の移動方向を切り替える。なお、振動ユニット４７０の共振周波数は、圧電素子４３０、振動体４２０、光学フィルタ４１０の形状、板厚、材質等により異なるが、不快な音の発生を抑えるべく、可聴域外となるような共振周波数を選ぶことが好ましい。
【００７６】
本実施形態では、振動体４２０に１次の振動モード及び２次の振動モードを励起させる例を説明したが、これに限らず、他の次数の振動モードを励起させるようにしても良い。また、振動体４２０に設けられた突起部４２０ａの数も２点のものとして説明したが、３点もしくはそれ以上であっても良い。
【００７７】
《動作の制御》
制御について説明する。先述したとおり、シャッタ動作を行う際には、シャッタ動作に適した振動モードを振動ユニット４７０に励起し、塵埃除去動作を行う際には、塵埃除去動作に適した振動モードを振動ユニット４７０に励起する必要がある。ＭＰＵ１００と圧電素子駆動回路１０３によって、圧電素子４３０の電極Ａ相、Ｂ相、Ｃ相に印加する電圧、周波数、時間位相を制御することで、振動ユニット４７０に励起する振動モードを切り替え、シャッタ動作と塵埃除去動作を行う。
【００７８】
《カメラ動作》
カメラ操作時の塵埃除去動作とシャッタ動作について説明する。図１２は、カメラ操作時における塵埃除去動作とシャッタ動作を示したフローチャートである。
【００７９】
ステップ１で、メインスイッチ４３にて電源がＯＮされたか否かを判定する。電源がＯＮされると、ステップ２で、カメラシステムを起動させるための処理を行い、電力供給回路１１０を制御して各回路へ電力を供給し、システムを初期設定し、カメラとして撮影動作可能にするためのカメラシステムの起動を行う。
【００８０】
次に、ステップ３で、撮影者により塵埃除去指示操作部材４４がＯＮされたか否かを判定し、操作されている場合はステップ４に進み、操作されていない場合はステップ５へ進む。なお、本実施形態では塵埃除去指示操作部材４４を設けたが、本発明はこれに限定されるものではない。例えば、塵埃除去動作を指示するための操作部材は、機械的なボタンに限らず、カラー液晶モニタ１９に表示されたメニューから、カーソルキーや指示ボタン等を用いて指示するものであっても良い。
【００８１】
ステップ４では、塵埃除去動作開始の指令を受けて、カメラ本体１に塵埃除去動作を行わせる。まず電力供給回路１１０は、塵埃除去動作に必要な電力をカメラ本体１の各部へ供給する。また、これに並行して電源４２の電池残量を検出して、その結果をＭＰＵ１００へ送信する。ＭＰＵ１００は、塵埃除去動作開始の信号を受け取ると、圧電素子駆動回路１０３に駆動信号を送る。圧電素子駆動回路１０３は、ＭＰＵ１００より駆動信号を受け取ると、光学フィルタ４１０に塵埃除去に適した振動モードを励起する電圧を生成し、圧電素子４３０に印加する。圧電素子４３０は、印加される電圧に応じて伸縮し、光学フィルタ４１０に塵埃除去に適した振動モードを励起させる。塵埃除去動作が終了するとステップ５に進む。
【００８２】
ステップ５では、ステップ４での塵埃除去動作によって意図せずシャッタ幕ユニット４４０が本来居るべき幕閉位置から動いてしまった場合でも閉位置を保証できるように幕閉位置の正規位置出しのリセット動作を行う。まず電力供給回路１１０は、シャッタ動作に必要な電力をカメラ本体１の各部へ供給する。また、これに並行して電源４２の電池残量を検出して、その結果をＭＰＵ１００へ送信する。
【００８３】
ＭＰＵ１００は、シャッタ動作開始の信号を受け取ると、圧電素子駆動回路１０３に駆動信号を送る。圧電素子駆動回路１０３は、ＭＰＵ１００より駆動信号を受け取ると、突起部４２０ａの先端に楕円運動（円運動）を発生させる電圧を生成し、圧電素子４３０に印加する。圧電素子４３０は、印加される電圧に応じて伸縮し、突起部４２０ａの先端に楕円運動（円運動）を発生させる。突起部４２０ａの先端に発生する楕円運動（円運動）によって、シャッタ幕ユニット４４０と突起部４２０ａの当接面に摩擦駆動力が発生しシャッタ幕ユニット４４０は移動する。この時、シャッタはステップ４を行う前は幕閉状態であったので、閉じ方向への駆動振動を発生させ、幕閉位置の正規位置にシャッタ幕が居ることを保証する。
【００８４】
次に、ステップ６で、撮影者によりＳＷ２（７ｂ）が操作されたか否かを判定し、操作されている場合はステップ７に進み、操作されていない場合はステップ８へ進む。
【００８５】
ステップ７では、ＳＷ２（７ｂ）によるシャッタ動作開始の指令を受けて、カメラ本体１に撮像動作を行わせる。撮像動作とは、ＳＷ２（７ｂ）操作から、撮像素子３３が露光開始するまでに、シャッタ幕ユニット４４０を撮像素子３３前面より待避（幕開動作）させ、撮像素子３３による撮像が行われた後、シャッタ幕ユニット４４０を撮像素子（３３）前面に移動させる（幕閉動作）といった動作のことである。まず電力供給回路１１０は、シャッタ動作に必要な電力をカメラ本体１の各部へ供給する。また、これに並行して電源４２の電池残量を検出して、その結果をＭＰＵ１００へ送信する。
【００８６】
ＭＰＵ１００は、シャッタ動作開始の信号を受け取ると、圧電素子駆動回路１０３に駆動信号を送る。圧電素子駆動回路１０３は、ＭＰＵ１００より駆動信号を受け取ると、突起部４２０ａの先端に楕円運動（円運動）を発生させる電圧を生成し、圧電素子４３０に印加する。圧電素子４３０は、印加される電圧に応じて伸縮し、突起部４２０ａの先端に楕円運動（円運動）を発生させる。突起部４２０ａの先端に発生する楕円運動（円運動）によって、シャッタ幕ユニット４４０と突起部４２０ａの当接面に摩擦駆動力が発生しシャッタ幕ユニット４４０は移動する。撮像素子３３による撮像の前後に前記シャッタの動作を幕開動作および幕閉動作を行い、撮像動作を行う。撮像動作が終了するとステップ８に進む。
【００８７】
次に、ステップ８で、カメラが待機状態においてメインスイッチ４３にて電源がＯＦＦされたか否かを判定し、ＯＦＦされるとステップ９に進み、ＯＦＦされていなければステップ３に戻る。
【００８８】
ステップ９では、ステップ４と同様の塵埃除去動作を実行後、ステップ１０に進む。
ここで、ステップ８における塵埃除去動作では、カメラ１の消費電力、動作時間等を考慮して、圧電素子４３０の駆動周波数、駆動時間、制御方法等のパラメータをステップ４と異ならせても良いことは言うまでも無い。
【００８９】
ステップ１０では、ステップ９での塵埃除去動作によって意図せずシャッタ幕ユニット４４０が本来居るべき幕閉位置から動いてしまった場合でも幕閉位置を保証できるように幕閉位置の正規位置出しのリセット動作をステップ５と同様に行う。この時、シャッタはステップ９で塵埃除去動作を行う前は幕閉状態であったので、幕閉方向への駆動振動を発生させ、幕閉の正規位置出しのリセット動作を行う。
【００９０】
ステップ１１では、ＭＰＵ１００の制御により各回路を終了させるための制御を行い、必要な情報等をＥＥＰＲＯＭ１００ａに格納し、電力供給回路１１０を制御して各回路への電源供給を遮断する電源ＯＦＦ動作を行う。
【００９１】
以上述べたように、撮影者が意図した任意のタイミングだけではなく、電源をＯＦＦすると塵埃除去動作が実行される。すなわち、光学フィルタ４１０の表面に付着した異物を除去する動作を行ってから、カメラシステムＯＦＦ動作を行うようにしている。
【００９２】
以上詳述したように、本実施形態によれば、振動ユニット４７０に励起する振動モードを制御することで、塵埃除去機能とシャッタ機能を１つの駆動源で実現可能な、省スペース、省部品点数を実現した撮像装置で、塵埃除去動作を行った後には、必ずシャッタ幕の幕閉駆動を行う事で、シャッタ幕の位置検出の為の特別な装置や機構を配置することなくシャッタの幕閉位置の保証を行う事が出来る。
【００９３】
［第２の実施形態］
第２の実施形態について図１３のフローチャートにしたがって説明する。ステップ１０１で、メインスイッチ４３にて電源がＯＮされたか否かを判定する。電源がＯＮされると、ステップ１０２で、カメラシステムを起動させるための処理を行い、電力供給回路１１０を制御して各回路へ電力を供給し、システムを初期設定し、カメラとして撮影動作可能にするためのカメラシステムの起動を行う。
【００９４】
次に、ステップ１０３で、撮影者によりＬＶモード釦４５がＯＮされたか否かを判定し、操作されている場合はステップ１０９に進み、操作されていない場合はステップ１０４へ進む。
【００９５】
ステップ１０４で、撮影者により塵埃除去指示操作部材４４がＯＮされたか否かを判定し、操作されている場合はステップ１０５に進み、操作されていない場合はステップ１０７へ進む。なお、本実施形態では塵埃除去指示操作部材４４を設けたが、本発明はこれに限定されるものではない。例えば、塵埃除去動作を指示するための操作部材は、機械的なボタンに限らず、カラー液晶モニタ１９に表示されたメニューから、カーソルキーや指示ボタン等を用いて指示するものであっても良い。
【００９６】
ステップ１０５では、塵埃除去動作開始の指令を受けて、カメラ本体１に塵埃除去動作を行わせる。まず電力供給回路１１０は、塵埃除去動作に必要な電力をカメラ本体１の各部へ供給する。また、これに並行して電源４２の電池残量を検出して、その結果をＭＰＵ１００へ送信する。ＭＰＵ１００は、塵埃除去動作開始の信号を受け取ると、圧電素子駆動回路１０３に駆動信号を送る。圧電素子駆動回路１０３は、ＭＰＵ１００より駆動信号を受け取ると、光学フィルタ４１０に塵埃除去に適した振動モードを励起する電圧を生成し、圧電素子４３０に印加する。圧電素子４３０は、印加される電圧に応じて伸縮し、光学フィルタ４１０に塵埃除去に適した振動モードを励起させる。塵埃除去動作が終了するとステップ１０６に進む。
【００９７】
ステップ１０６では、ステップ１０５での塵埃除去動作によって意図せずシャッタ幕ユニット４４０が本来居るべき幕閉位置から動いてしまった場合でも閉位置を保証できるように幕閉位置の正規位置出しのリセット動作を行う。
【００９８】
まず電力供給回路１１０は、シャッタ動作に必要な電力をカメラ本体１の各部へ供給する。また、これに並行して電源４２の電池残量を検出して、その結果をＭＰＵ１００へ送信する。ＭＰＵ１００は、シャッタ動作開始の信号を受け取ると、圧電素子駆動回路１０３に駆動信号を送る。圧電素子駆動回路１０３は、ＭＰＵ１００より駆動信号を受け取ると、突起部４２０ａの先端に楕円運動（円運動）を発生させる電圧を生成し、圧電素子４３０に印加する。圧電素子４３０は、印加される電圧に応じて伸縮し、突起部４２０ａの先端に楕円運動（円運動）を発生させる。突起部４２０ａの先端に発生する楕円運動（円運動）によって、シャッタ幕ユニット４４０と突起部４２０ａの当接面に摩擦駆動力が発生しシャッタ幕ユニット４４０は移動する。この時、シャッタはステップ１０５を行う前は幕閉状態であったので、幕閉方向への駆動振動を発生させ、幕閉位置の正規位置にシャッタ幕が居ることを保証する。
【００９９】
次に、ステップ１０７で、撮影者によりＳＷ２（７ｂ）が操作されたか否かを判定し、操作されている場合はステップ１０８に進み、操作されていない場合はステップ１１５へ進む。
【０１００】
ステップ１０８では、ＳＷ２（７ｂ）によるシャッタ動作開始の指令を受けて、カメラ本体１に撮像動作を行わせる。撮像動作とは、ＳＷ２（７ｂ）操作から、撮像素子３３が露光開始するまでに、シャッタ幕ユニット４４０を撮像素子３３前面より待避（幕開動作）させ、撮像素子３３による撮像が行われた後、シャッタ幕ユニット４４０を撮像素子（３３）前面に移動させる（幕閉動作）といった動作のことである。
【０１０１】
まず電力供給回路１１０は、シャッタ動作に必要な電力をカメラ本体１の各部へ供給する。また、これに並行して電源４２の電池残量を検出して、その結果をＭＰＵ１００へ送信する。ＭＰＵ１００は、シャッタ動作開始の信号を受け取ると、圧電素子駆動回路１０３に駆動信号を送る。圧電素子駆動回路１０３は、ＭＰＵ１００より駆動信号を受け取ると、突起部４２０ａの先端に楕円運動（円運動）を発生させる電圧を生成し、圧電素子４３０に印加する。圧電素子４３０は、印加される電圧に応じて伸縮し、突起部４２０ａの先端に楕円運動（円運動）を発生させる。突起部４２０ａの先端に発生する楕円運動（円運動）によって、シャッタ幕ユニット４４０と突起部４２０ａの当接面に摩擦駆動力が発生しシャッタ幕ユニット４４０は移動する。撮像素子３３による撮像の前後に前記シャッタの動作を幕開動作および幕閉動作を行い、撮像動作を行う。撮像動作が終了するとステップ１１５に進む。
【０１０２】
ステップ１０９では、ステップ１０３で撮影者によりＬＶモード釦４５がＯＮされたのを受けて、ＭＰＵ１００は、ミラー駆動回路１０１に駆動信号を送る。ミラー駆動回路はたとえばＤＣモータとギヤトレインなどから構成される公知の駆動系を駆動することで、クイックリターンミラー６及びサブミラー３０を撮影光束から待避する位置とへ駆動する。
【０１０３】
さらにＭＰＵ１００は、シャッタ幕の幕開開始の信号を受け取ると、圧電素子駆動回路１０３に駆動信号を送る。圧電素子駆動回路１０３は、ＭＰＵ１００より駆動信号を受け取ると、突起部４２０ａの先端に楕円運動（円運動）を発生させる電圧を生成し、圧電素子４３０に印加する。
【０１０４】
圧電素子４３０は、印加される電圧に応じて伸縮し、突起部４２０ａの先端に楕円運動（円運動）を発生させる。突起部４２０ａの先端に発生する楕円運動（円運動）によって、シャッタ幕ユニット４４０と突起部４２０ａの当接面に摩擦駆動力が発生しシャッタ幕ユニット４４０が移動し、幕開駆動を行う。さらに、撮像素子３３は、撮影レンズ２００を透過してきた被写体光を撮像して映像信号処理回路１０４を通してカラー液晶モニター１９にスルー画を表示する。すなわち、通常のファインダーを観察しての撮影モードからカラー液晶モニタ１９にスルー画を表示してのＬＶモードに移行する。
ＬＶモードへの移行が終了するとステップ１１０に進む。
【０１０５】
ステップ１１０では、撮影者により塵埃除去指示操作部材４４がＯＮされたか否かを判定し、操作されている場合はステップ１１０に進み、操作されていない場合はステップ１１３へ進む。なお、本実施形態では塵埃除去指示操作部材４４を設けたが、本発明はこれに限定されるものではない。例えば、塵埃除去動作を指示するための操作部材は、機械的なボタンに限らず、カラー液晶モニタ１９に表示されたメニューから、カーソルキーや指示ボタン等を用いて指示するものであっても良い。
【０１０６】
ステップ１１１では、塵埃除去動作開始の指令を受けて、カメラ本体１に塵埃除去動作を行わせる。まず電力供給回路１１０は、塵埃除去動作に必要な電力をカメラ本体１の各部へ供給する。また、これに並行して電源４２の電池残量を検出して、その結果をＭＰＵ１００へ送信する。ＭＰＵ１００は、塵埃除去動作開始の信号を受け取ると、圧電素子駆動回路１０３に駆動信号を送る。圧電素子駆動回路１０３は、ＭＰＵ１００より駆動信号を受け取ると、光学フィルタ４１０に塵埃除去に適した振動モードを励起する電圧を生成し、圧電素子４３０に印加する。圧電素子４３０は、印加される電圧に応じて伸縮し、光学フィルタ４１０に塵埃除去に適した振動モードを励起させる。塵埃除去動作が終了するとステップ１１２に進む。
【０１０７】
ステップ１１２では、ステップ１１１での塵埃除去動作によって意図せずシャッタ幕ユニット４４０が本来居るべき幕開位置から動いてしまった場合でも幕開位置を保証できるように幕開位置の正規位置出しのリセット動作を行う。まず電力供給回路１１０は、シャッタ動作に必要な電力をカメラ本体１の各部へ供給する。また、これに並行して電源４２の電池残量を検出して、その結果をＭＰＵ１００へ送信する。
【０１０８】
ＭＰＵ１００は、シャッタ動作開始の信号を受け取ると、圧電素子駆動回路１０３に駆動信号を送る。圧電素子駆動回路１０３は、ＭＰＵ１００より駆動信号を受け取ると、突起部４２０ａの先端に楕円運動（円運動）を発生させる電圧を生成し、圧電素子４３０に印加する。圧電素子４３０は、印加される電圧に応じて伸縮し、突起部４２０ａの先端に楕円運動（円運動）を発生させる。突起部４２０ａの先端に発生する楕円運動（円運動）によって、シャッタ幕ユニット４４０と突起部４２０ａの当接面に摩擦駆動力が発生しシャッタ幕ユニット４４０は移動する。
【０１０９】
この時、シャッタはステップ１１０を行う前は幕開状態であったので、幕開方向への駆動振動を発生させ、幕開位置の正規位置にシャッタ幕が居ることを保証する。
次に、ステップ１１３で、撮影者によりＳＷ２（７ｂ）が操作されたか否かを判定し、操作されている場合はステップ１１４に進み、操作されていない場合はステップ１１５へ進む。
【０１１０】
ステップ１１４では、ＳＷ２（７ｂ）によるシャッタ動作開始の指令を受けて、カメラ本体１に撮像動作を行わせる。既にＬＶモードに設定されているので、シャッタ幕は開状態であり、撮像素子３３により撮像が行われる。撮像動作が終了するとステップ１１５に進む。
【０１１１】
ステップ１１５では、撮影者によりＬＶモード釦４５がＯＮされたか否かを判定し、操作されている場合はステップ１１１６に進み、操作されていない場合はステップ１１０へ戻る。
【０１１２】
ステップ１１６では、ステップ１１５で撮影者によりＬＶモード釦４５がＯＮされたのを受けて、ＭＰＵ１００は、ミラー駆動回路１０１に駆動信号を送る。ミラー駆動回路はたとえばＤＣモータとギヤトレインなどから構成される公知の駆動系を駆動することで、クイックリターンミラー６をファインダにより被写体像を観察可能とする位置に駆動する。同時に、サブミラー３０は焦点検出用センサユニット３１へ撮影光束を導く位置とへ移動する。すなわちＬＶモード状態を解消し通常撮影モードに移行する。
【０１１３】
次に、ステップ１１７で、カメラが待機状態においてメインスイッチ４３にて電源がＯＦＦされたか否かを判定し、ＯＦＦされるとステップ１１８に進み、ＯＦＦされていなければステップ１０３に戻る。
【０１１４】
ステップ１１８では、ステップ１０５と同様の塵埃除去動作を実行後、ステップ１１９に進む。ここで、ステップ１１８における塵埃除去動作では、カメラ１の消費電力、動作時間等を考慮して、圧電素子４３０の駆動周波数、駆動時間、制御方法等のパラメータをステップ１０５やステップ１１１と異ならせても良いことは言うまでも無い。
【０１１５】
ステップ１１９では、ステップ１１８での塵埃除去動作によって意図せずシャッタ幕ユニット４４０が本来居るべき幕閉位置から動いてしまった場合でも幕閉位置を保証できるように幕開位置の正規位置出しのリセット動作をステップ１０６と同様に行う。まず電力供給回路１１０は、シャッタ動作に必要な電力をカメラ本体１の各部へ供給する。また、これに並行して電源４２の電池残量を検出して、その結果をＭＰＵ１００へ送信する。
【０１１６】
ＭＰＵ１００は、シャッタ動作開始の信号を受け取ると、圧電素子駆動回路１０３に駆動信号を送る。圧電素子駆動回路１０３は、ＭＰＵ１００より駆動信号を受け取ると、突起部４２０ａの先端に楕円運動（円運動）を発生させる電圧を生成し、圧電素子４３０に印加する。圧電素子４３０は、印加される電圧に応じて伸縮し、突起部４２０ａの先端に楕円運動（円運動）を発生させる。突起部４２０ａの先端に発生する楕円運動（円運動）によって、シャッタ幕ユニット４４０と突起部４２０ａの当接面に摩擦駆動力が発生しシャッタ幕ユニット４４０は移動する。この時、シャッタはステップ１１８を行う前は幕閉状態であったので、幕閉方向への駆動振動を発生させ、幕閉位置の正規位置にシャッタ幕が居ることを保証する。
【０１１７】
ステップ１２０では、ＭＰＵ１００の制御により各回路を終了させるための制御を行い、必要な情報等をＥＥＰＲＯＭ１００ａに格納し、電力供給回路１１０を制御して各回路への電源供給を遮断する電源ＯＦＦ動作を行う。
【０１１８】
撮影者が意図した任意のタイミングだけではなく、電源をＯＦＦすると塵埃除去動作が実行される。すなわち、光学フィルタ４１０の表面に付着した異物を除去する動作を行ってから、カメラシステムＯＦＦ動作を行うようにしている。
【０１１９】
以上詳述したように、本実施形態によれば、振動ユニット４７０に励起する振動モードを制御することで、塵埃除去機能とシャッタ機能を１つの駆動源で実現可能な、省スペース、省部品点数を実現した撮像装置で、通常撮影モード時に塵埃除去動作を行った後には、必ずシャッタ幕の幕閉駆動を行い、ＬＶモード時に塵埃除去動作を行った後には、必ずシャッタ幕の幕開駆動を行う事で、シャッタ幕の位置検出の為の特別な装置や機構を配置することなくシャッタの幕閉位置及び幕開位置の保証を行う事が出来る。
【０１２０】
以上、本発明の好ましい実施形態について説明したが、本発明はこれらの実施形態に限定されず、その要旨の範囲内で種々の変形及び変更が可能である。
【符号の説明】
【０１２１】
３２  シャッタ幕、１００  ＭＰＵ、１０３  圧電素子駆動回路、
４００  撮像ユニット、４１０  光学フィルタ、４２０  振動体、４３０  圧電素子、
４４０  シャッタ幕ユニット、４７０  振動ユニット、４８０  移動体、
５２０  付勢部材
【図３】
2016085245.tif 000003
【図６】
2016085245.tif 000004
【図７】
2016085245.tif 000005
【図１】
2016085245.tif 000006
【図２】
2016085245.tif 000007
【図４】
2016085245.tif 000008
【図５】
2016085245.tif 000009
【図８】
2016085245.tif 000010
【図９】
2016085245.tif 000011
【図１０】
2016085245.tif 000012
【図１１】
2016085245.tif 000013
【図１２】
2016085245.tif 000014
【図１３】
2016085245.tif 000015